(57)【特許請求の範囲】
【請求項１】
殺菌剤を含有した水道水である原水を先端側に導く通水路を内部に備えた本体に対して、該本体の通水路に連絡した通水路と該通水路の先端に吐水孔を備えた吐水端部部材を、それら本体及び吐水端部部材の一方に設けた内嵌合部と他方に設けた外嵌合部との嵌合せにより取り付けて成り、該本体の通水路からの水道水を該吐水端部部材の吐水孔より吐水する吐水器具において、
前記内嵌合部を半径方向に貫通して前記内嵌合部及び外嵌合部の嵌合せ面と前記通水路の前記原水を流通させる部分とを連通させる連通孔を有し、該通水路の原水を該連通孔を通じて該嵌合せ面に流出させた後、再び該通水路に流入させる原水のバイパス流路を設けたことを特徴とする吐水器具。
【請求項２】
請求項１に記載の吐水器具において、前記吐水端部部材側の通水路上には浄化室が設けられていて、該浄化室内に水道水中の殺菌剤を除去する浄化カートリッジが収容されており、前記連通孔が前記通水路における該浄化室の上流部と前記嵌合せ面とを連通させるように設けられていることを特徴とする吐水器具。
【請求項３】
請求項１，２の何れかに記載の吐水器具において、前記内嵌合部と外嵌合部とは、該内嵌合部の外周面の雄ねじ部と該外嵌合部の内周面の雌ねじ部とにおいてねじ嵌合されていることを特徴とする吐水器具。
【請求項４】
請求項１〜３の何れかに記載の吐水器具において、前記吐水孔はシャワー吐水孔であることを特徴とする吐水器具。
【発明の詳細な説明】
【０００１】
【発明の属する技術分野】
この発明はシャワーヘッド等の吐水器具に関し、特に本体と吐水端部部材とを嵌合せ状態に組み付けて成る吐水器具に関する。
【０００２】
【従来の技術】
図５は従来の吐水器具の一例として、殺菌剤を含有した水道水である原水のシャワー吐水と、殺菌剤を除いた浄水のシャワー吐水とを切替可能なシャワーヘッドを示している。
同図において２００はシャワーヘッドの本体で、その内部に殺菌剤を含有した水道水である原水を先端側に導く通水路２０２を備えている。
【０００３】
２０４は吐水端部部材（散水部材）であって底付きの円筒形状をなしており、その内部の中心部と外周部とに通水路２０２Ａと２０２Ｂとが区画形成されているとともに、その底部には通水路２０２Ａに連通する複数の原水用のシャワー吐水孔２０８Ａと、通水路２０２Ｂに連通する複数の浄水用のシャワー吐水孔２０８Ｂとが形成されている。
この吐水端部部材２０４の内部且つ通水路２０２Ｂ上には浄化室が形成されていて、そこに水道水中の殺菌剤（塩素）を除去する浄化カートリッジ２１０が収容されている。
【０００４】
この吐水端部部材２０４は上端部に外嵌合部２１４を有している。
一方本体２００は内嵌合部２１２を有しており、それら外嵌合部２１４と内嵌合部２１２とが、外嵌合部２１４の内周面の雌ねじ部と内嵌合部２１２の外周面の雄ねじ部とによってねじ嵌合されている。
【０００５】
この例のシャワーヘッドの場合、通水路２０２と２０２Ａとを連通させるための開口２１８と、通水路２０２と通水路２０２Ｂとを連通させるための開口２２０が内部に設けられていて、それらの開口２１８，２２０が弁体２１６の移動によって択一的に開放又は閉鎖されるようになっている。
【０００６】
而して開口２２０が閉鎖され、開口２１８が開放された状態の下では、本体２００側の通水路２０２を通じて送られて来た水道水（原水）が吐水端部部材２０４の通水路２０２Ａを通じて下端のシャワー吐水孔２０８Ａからシャワー吐水される。
【０００７】
また一方、弁体２１６の切替動作により開口２１８を閉鎖し、開口２２０を開放した状態の下では、通水路２０２からの水道水が吐水端部部材２０４の通水路２０２Ｂ側に流れ込み、そこで水道水中の塩素分が除去されて、即ち浄水化された上でシャワー吐水孔２０８Ｂからシャワー吐水される。
【０００８】
【発明が解決しようとする課題】
ところでこのシャワーヘッドにあっては、吐水端部部材２０４における外嵌合部２１４と本体２００における内嵌合部２１２とのねじ嵌合せ面が殺菌剤の除去された浄水と接触することとなり、しかも同面には通水が行われないために、そのねじ嵌合せ面に水垢や黴等が発生する恐れがあった。
【０００９】
以上シャワーヘッドを例として説明したが、嵌合せ面が浄水と接触するような形態の浄水器やアルカリイオン整水器等においても共通の問題が生ずる。
またこの問題は嵌合せ面が殺菌剤の除去された浄水と接触する場合において顕著であるが、ただ単に水道水（原水）と接するような形態で嵌合せ面が設けられている通常の吐水器具においても大なり小なり生ずる問題である。
【００１０】
【課題を解決するための手段】
本発明の吐水器具はこのような課題を解決するために案出されたものである。而して請求項１のものは、殺菌剤を含有した水道水である原水を先端側に導く通水路を内部に備えた本体に対して、該本体の通水路に連絡した通水路と該通水路の先端に吐水孔を備えた吐水端部部材を、それら本体及び吐水端部部材の一方に設けた内嵌合部と他方に設けた外嵌合部との嵌合せにより取り付けて成り、該本体の通水路からの水道水を該吐水端部部材の吐水孔より吐水する吐水器具において、前記内嵌合部を半径方向に貫通して前記内嵌合部及び外嵌合部の嵌合せ面と前記通水路の前記原水を流通させる部分とを連通させる連通孔を有し、該通水路の原水を該連通孔を通じて該嵌合せ面に流出させた後、再び該通水路に流入させる原水のバイパス流路を設けたことを特徴とする。
【００１１】
請求項２のものは、請求項１に記載の吐水器具において、前記吐水端部部材側の通水路上には浄化室が設けられていて、該浄化室内に水道水中の殺菌剤を除去する浄化カートリッジが収容されており、前記連通孔が前記通水路における該浄化室の上流部と前記嵌合せ面とを連通させるように設けられていることを特徴とする。
【００１２】
請求項３のものは、請求項１，２の何れかに記載の吐水器具において、前記内嵌合部と外嵌合部とは、該内嵌合部の外周面の雄ねじ部と該外嵌合部の内周面の雌ねじ部とにおいてねじ嵌合されていることを特徴とする。
【００１３】
請求項４のものは、請求項１〜３の何れかに記載の吐水器具において、前記吐水孔はシャワー吐水孔であることを特徴とする。
【００１４】
【作用及び発明の効果】
上記のように請求項１の吐水器具は、内嵌合部を半径方向に貫通して通水路と嵌合せ面とを連通させる連通孔を通じて通水路の原水を嵌合せ面に流出させ、更に再び通水路へと戻す原水のバイパス流路を設けたもので、この吐水器具においては、通水の際に嵌合せ面に殺菌剤を含有した原水が連続的に供給されるため、嵌合せ面に滞留した原水或いは浄水等によって嵌合せ面に水垢や黴等が発生するのを効果的に防止することができる。
【００１５】
本発明は、吐水端部部材側の通水路上に浄化室が設けられていて、そこで殺菌剤を含んだ水道水が浄水化される形態の吐水器具に適用して効果が大である（請求項２）。
【００１６】
この形態の吐水器具においては、嵌合せ面が殺菌剤を含有していない浄水と接することとなり、その嵌合せ面に水垢や黴等が特に発生し易い。
しかるに本発明によればその嵌合せ面での水垢や黴の発生を有効に防止できる。
【００１７】
本発明は、上記内嵌合部と外嵌合部とが雄ねじ部と雌ねじ部とにおいてねじ嵌合されている場合に好適に適用でき（請求項３）、また吐水器具としてのシャワーヘッドに好適に適用可能である（請求項４）。
【００１８】
【実施例】
次に本発明の実施例を図面に基づいて詳しく説明する。
図１は吐水器具の一例としてのシャワーヘッドを示したもので、同図中１０はその本体であり、内部に殺菌剤（塩素）を含有した水道水である原水を先端側に導く通水路１２を備えている。
１４は吐水端部部材（散水部材）であって底付きの円筒形状をなしており、その内部に通水路１２Ａと１２Ｂとを有するとともに、底部には通水路１２Ａに連通した複数の原水用のシャワー吐水孔１４Ａと、通水路１２Ｂに連通した複数の浄水用のシャワー吐水孔１４Ｂとが形成されている。
【００１９】
ここで通水路１２Ａと１２Ｂとは、吐水端部部材１４の底部から立ち上がるように設けられた中心部の円筒部１６によって区画されている。
また一方の通水路１２Ｂ上には浄化室が形成されていて、そこに殺菌剤の除去作用を行う浄化カートリッジ１８が収容されている。
【００２０】
２０は逆皿状をなす弁プレートであって、通水路１２Ａに連通する開口２２と、通水路１２Ｂに連通する開口２４（図２参照）とを有している。
この弁プレート２０には、中心部に下向きの円筒形状の突出部３２が形成されており、その突出部３２の端面がリング状のシール部材３４を介して吐水端部部材１４の上記円筒部１６の上端面に水密に当接している。
【００２１】
この弁プレート２０の上部には弁体２６が回動摺動可能に配設されている。
弁体２６は、弁プレート２０に形成された上記一対の開口２２，２４の内の一方を閉鎖して他方を開放し、或いはその他方を閉鎖、一方を開放することによって吐水端部部材１４側の通水路１２Ａ又は１２Ｂの何れか一方を択一的に本体１０側の通水路１２に連通させる働きをなす。
【００２２】
この弁体２６には軸部２８が設けられており、その軸部２８が本体１０の外面に突き出す形態で設けられた操作部３０に一体回転状態に連結されている。即ちこの例では、図３に示しているように操作部３０の操作によって弁体２６が弁プレート２０上面を回動摺動し、開口２２，２４を択一的に閉鎖又は開放する。
【００２３】
本体１０には円筒形状の内嵌合部３６が設けられている。
また吐水端部部材１４には対応する円筒形状の外嵌合部３８が設けられており、それら内嵌合部３６と外嵌合部３８とが、内嵌合部３６の外周面の雄ねじ部と外嵌合部３８の内周面の雌ねじ部とにおいてねじ嵌合されている。即ち吐水端部部材１４が、内嵌合部３６と外嵌合部３８とにおいてねじ結合され、本体１０に組み付けられている。
尚この内嵌合部３６はまた、上記弁プレート２０の円筒形状の外周壁部４０に対しても水密に嵌合している。
【００２４】
本例においては、上記内嵌合部３６及び弁プレート２０の外周壁部４０を半径方向に貫通して内嵌合部３６と外嵌合部３８とのねじ嵌合せ面と通水路１２、詳しくは通水路１２の浄化室の上流部とを連通させる連通孔４２が設けられている。
【００２５】
そして図４に示しているようにこの連通孔４２と上記雄ねじ部及び雌ねじ部の間の隙間によって、殺菌剤を含有した水道水（原水）をねじ嵌合せ面に流出させた上、通水路１２Ｂに流入させる原水のバイパス流路４４が形成されている。
【００２６】
次に本例のシャワーヘッドの作用を説明する。
本例のシャワーヘッドにおいては、弁体２６を図２（Ａ）及び図３（Ｉ）に示す状態、即ち弁プレート２０の開口２２を閉鎖して他方の開口２４を開放した状態とし、その状態で通水路１２を通じて水道水を供給すると、その水道水は開口２４を通じて通水路１２Ｂ側に流れ込み、そして浄化カートリッジ１８を通過して浄水化された上で、即ち水道水中の殺菌剤が除去された上でシャワー吐水孔１４Ｂからシャワー吐水される。
【００２７】
また一方、操作部３０の操作によって弁体２６を図２（Ｂ）及び図３（III）に示す状態、即ち開口２４を閉鎖し、開口２２を開放した状態の下で通水路１２を通じて水道水を供給すると、その水道水（原水）は開口２２を通じて通水路１２Ａ内に流れ込み、そのまま原水用のシャワー吐水孔１４Ａからシャワー吐水される。
【００２８】
さて本例のシャワーヘッドにおいて、通水停止状態の下では浄化カートリッジ１８により殺菌剤の除去された浄水が図４（Ｂ）に示しているように内嵌合部３６と外嵌合部３８とのねじ嵌合せ面に接触した状態となる。
従ってこれをそのまま長時間放置するとそのねじ嵌合せ面に黴等が発生して汚れを生じる恐れが生ずる。
【００２９】
しかるに本例のシャワーヘッドにおいては、次回に通水開始すると即ちシャワー吐水すると、図４（Ａ）に示しているように殺菌剤を含有した水道水（原水）がバイパス流路４４を通じて流通し、内嵌合部３６と外嵌合部３８とのねじ嵌合せ面に連続的に供給される。従ってそのねじ嵌合せ面での黴等の発生が有効に防止される。
【００３０】
以上本発明の実施例を詳述したがこれはあくまで一例示である。
例えば本発明は浄水器やアルカリイオン整水器その他吐水器具に適用することも可能である。
また上記例は原水のシャワー吐水機能と浄水のシャワー吐水機能とを備えたシャワーヘッドに対して本発明を適用した場合の例であるが、本発明はただ単に浄水のみをシャワー吐水するシャワーヘッド或いは原水のみをシャワー吐水するシャワーヘッド等に適用することも可能であるなど、その主旨を逸脱しない範囲において種々変更を加えた形態で構成可能である。
【図面の簡単な説明】
【図１】本発明の一実施例であるシャワーヘッドを示す図である。
【図２】図１のシャワーヘッドの作用状態を示す側面断面図である。
【図３】図１のシャワーヘッドの作用状態を示す平面断面図である。
【図４】図１のシャワーヘッドの要部の作用説明図である。
【図５】従来の吐水器具の一例としてのシャワーヘッドの要部を示す図である。
【符号の説明】
１０  本体
１２，１２Ａ，１２Ｂ  通水路
１４  吐水端部部材
１４Ａ，１４Ｂ  シャワー吐水孔
１８  浄化カートリッジ
３６  内嵌合部
３８  外嵌合部
４２  連通孔
４４  バイパス流路
【図１】
0003645130.tif 000002
【図２】
0003645130.tif 000003
【図３】
0003645130.tif 000004
【図４】
0003645130.tif 000005
【図５】
0003645130.tif 000006